(57)【要約】【目的】腹部、背骨、肩部付近に痛み、疲れ、異常等があって、単に仰向け寝、横向き寝等の睡眠、休養姿勢を取り難い人が、斜め上向き、斜め横向き等の各種角度の睡眠姿勢により楽に睡眠、休養し易くし、又はうつ伏せ寝をし、或いは上半身の特に腹部から上の肩部、頭部を傾斜して高くし、又はそれら各部にクッション弾力部を用いて、夫々痛みを感じない楽な姿勢を取り易く、且リハビリ用にも役立たせる。【構成】上半身各部をよせかけ、乗せかけ、もたれかかり得べき各種断面形状の背乗せ部、うつ伏せ寝し易くなる胸上、腹胸乗せ部、額乗せ部等を用い、それら各種寝具を平面上、上半身斜面上、弾力あるクッション部（斜面、水平面上）等に置いて、痛みを軽減し、リハビリ用にも用いられ得る。【選択図】  図１４
2004160144.tif 000002
【特許請求の範囲】
【請求項１】
底面（２５）の上の左右（又は外側、内側）斜面（２３，２４）に上半身又はその一部の背中，側背を弾力的に寄せかけ、乗せかけ、もたれる
2004160144.tif 000004
【請求項２】
弾力ある素材で、上面に円弧傾斜面を有する胸上乗せ部（９）
2004160144.tif 000005
【請求項３】
気泡つきシート（７１），圧縮空気注入部（７５），厚板紙円筒（７３，内部にばね鋼円管を内包する場合もある）を前に低く頭部に高くなるように配列成型又はほぼ水平になるように配列する体上部傾斜乗せ部，水平クッション部（１２３，１４８）の上に、請求項１，２記載の各背乗せ部、腹胸乗せ部、額乗せ部を乗せる、腰痛症、背柱症、肩痛のリハビリ兼用安眠寝具。
【発明の詳細な説明】
【産業上の利用分野】
【０００１】腰痛症、背柱症、肩痛病人が安眠し易くなり、且リハビリ運動にも兼用し得る寝具。
【従来の技術】
【０００２】単なる疲れでなく、腰痛、背骨痛等骨の内部組織に起因する病気又は肩痛、肩こり、肩のこわばり等を和らげて運動し易くし、又は恢復するためのリハビリ兼用寝具、うつ伏せ寝用寝具等は従来見受けられない。
【発明が解決しようとする課題】
【０００３】痛みに耐え、避け、和らげながら、病気と運動機能の恢復時間を持ちつつ、リハビリ訓練にも役立つ寝具、用具はどうあるべきか。
【課題を解決するための手段】
2004160144.tif 000003
【０００５】各背乗せ部を中央に一個用いる時（図１，２）は、片側斜面を最も使用し易い緩やかな傾斜面２３とし、反対側の斜面を稍急な斜面２４とし、必要により傾斜調整部５６（図２，３，１１），５７（図７，８），９２（図１３），屈折底面２５’（図１２）により緩やかな傾斜面とする。背乗せ部を左右に用いる時は、夫々の内側を緩やな斜面２３とすると、左背乗せ部の左斜面は急な斜面となるので、その場合により左斜面、右斜面、又は外側斜面、内側斜面と呼ぶ。
【作用】
【０００６】腰痛症、背柱症、肩痛病人は仰向け睡眠で痛み、こわばりを感じて横向きになり、更に各種角度の斜め横向き又はうつ伏せをする際、請求項１記載の各背乗せ部、請求項２記載のうつ伏せ用寝具を用いると、腰や背骨に負担を掛けずに安眠し易くなり、肩痛では特に、請求項３記載の、腹部と肩部から上部を傾斜する体上部傾斜乗せ部１２３を用いると肩痛を和らげ易く、各病人が各姿勢を替えながら睡眠する事がリハビリ運動になる。又そのための各種寝具はソフトで弾力あり、安楽に休息、睡眠、姿勢変換すべく、軟質、硬質のマットレス状部２９，７４の中に、それより硬くて芯３２となる程度の縫いぐるみ３４，軟質の中には硬質のマットレス状部７４，板状となる程度の合成ゴム７０，稍軟質の発泡合成ゴム７２，気泡つきシート７１（市販包装用のポリエチレン製プチメイト等）、圧縮空気入りチューブ等７５，発泡スチロール７６，厚板紙円筒７３，段ボール７７等を用いる場合もある。
【０００７】図２の腹部２０のように斜め横向きの姿勢で、背中６８の下面近くに重み，痛みを感じる時には斜め横向きの角度を種々変化させる。例えば各背乗せ部１５，６０，６１，６３，６４，８３，１１５，１２６の内側斜面２３（平面，弯曲面）と外側斜面２４とを交換（上下又は左右の向きを変える）Ｌ、又は底面２５と内側斜面２３とをひっくり返し、或いは背乗せ部１１５で底面２５を左方の２５’に乗り換える等により背中を乗せる面の傾斜内角１７を１６と交換し、更に傾斜調整部５７，５６を用い、背乗せ部８３では左下方一部９０を分離して右下方の９２へ移す等により、背中を乗せ易い適度の傾斜とし、尚背乗せ部各部分の一部だけの形を変え、位置、傾き方向を変え、腰背乗せ部５，頭背乗せ部７を引出し、分離（図７左右等）し、図１５で胸上乗せ部９を腹胸乗せ部１４７上端へ取付けて取扱いを簡易にし、図３の背乗せ部１２６の低い山型面１２７の下部を次第に低く成型した図７の腹胸乗せ部１２９，図１４の腹胸乗せ部１４７夫々の低い山型面１２７の左右傾斜面、上面（リハビリ訓練中、００２０）に背中６８を乗せると、図１７で背乗せ部１２９，１４７となり、腹面１４４を乗せて腹胸乗せ部１２９，１４７となり、共に背乗せ部兼用腹胸乗せ部であり又うつ伏せ寝時下腹部が低い山型面１２７に密着して胃腸等内臓の冷えを防ぎ得。
【０００８】図２（図１のＡ−Ａ断面、図３の三角柱状背乗せ部１５の腹部４を稍拡大）で、ほぼ平面状の内側斜面２３の下方延長点５３で、底面２５との内角１７は、外側斜面２４の下方延長点の内角１６より小さいと、斜面２３の長さは斜面２４より長く且傾斜が緩やかであり、背中６８を乗せた場合に、下面側背部６９に僅か重みを感じても殆んど抵抗とならずに、仰向けの姿勢に代えて安眠し得る。図８の左側の折畳み柱状背乗せ部６４，右側の丸め込み柱状背乗せ部６３夫々の頭部７で、外側下面の袋部５８に三角柱状の傾斜調整部５７，５７を用いた時の夫々の外側傾斜角度は図２の右側、図３の外側斜面２４とほぼ同じとなるが、特に左の折畳み背乗せ部６４では内側斜面２３を最も緩やかにし得る。
【０００９】傾斜の急な外側斜面２４（図３の背乗せ部１５，図７の凹み部のある山型背乗せ部６１）には、下部広がりの傾斜調整部５６を外側に取付けた袋部５８へ入れた時の内角５９は、内側斜面内角１７と外側斜面内角１６との中間の大きさとし得る。
【００１０】図７の山型背乗せ部６０と凹みのある山型背乗せ部６１との外側斜面２４の下部外側、図３の背乗せ部１５の外側に取付けた袋部５８へ、三角柱状の傾斜調整部５６，５７を入れると、その底面が背乗せ部６０，６１，１５の底面２５に続く広がった底面となり、その外側辺が各背乗せ部の外側斜面の働きをする。
【００１１】図１３の背乗せ部８３では、左斜面上の一点８４と底面上の一点８６を結ぶ線８７の外側９０の部を袋部９５と共に分離して、右方９２の部で覆い布９４（左右斜面を包む）の中へ入れ包むと、傾斜調整部９２となり、傾斜調整部５６又は５７を用いる必要がない。
【００１２】図１２の背乗せ部１１５では、左底面２５’の左端内角１７を、右底面２５の右方への延長部内角１６より小さくして、左右で異なる傾斜内角上に背中６８を乗せ得る他、左右斜面２３，２４の上部１２１，１２２を急傾斜としてあるから、その部に背中６８又は側背６９を寄せかけ、もたれかけ得るので、４通りの傾斜面を設けるのと同じ作用がある。
【００１３】背乗せ部１５，６０，６１，６３，６４，８３，１１５の底面２５，２５’の左右外側には、延長部４４を取付けておくと背中６８，側背６９を乗せて、内角１６が大きい時でも各背乗せ部が側方へずれるのを防ぎ得る。その時使用者の上半身は各傾斜面へ斜上から乗せかけ、よせかけ、もたれかかるので、稍横向きの上半身各部を支えておく力が不要で、各部の力を抜きらくな気持ちで休養、睡眠し得、疲労も恢復し易く、腰骨、背骨とそれを支える各筋肉部にも病気恢復の時間と活力を与えている事になり、リハビリにも役立っている。
【００１４】図７で、山型背乗せ部６０の腰部５を腹部４から引出し、凹みのある山型背乗せ部６１の腰部５を腹部４から分離すると、夫々特に腰部、腰骨に痛み、症状のある病人が、腹部４と異なる傾斜角度、方向の背乗せ部５として痛み、症状を和らげ、疲れをとり易くし得、又大人と小人が共用し得る利点もある。背骨痛病人は腹部４と腰部５を連結し、肩部６から引出し又は分離もある。
【００１５】うつ伏せ寝のために胸上乗せ部９又は９’を取付けた腹胸乗せ部１２９，１４７の上方に間隙部１９を置いて使用する額乗せ部３７，４３，２，３，２’，３’，２６，２’，３’，４０は、図１で、枕１の左右に取付ける額乗せ部２，３は上半身を右又は左へ廻せば下向きになって直ちに額乗せ部を使用し得（鼻頭８が凹み部３９へ入る）、図３の額乗せ部４３は枕１と頭背乗せ部７とを連結し、図８の額乗せ部３７は枕１と１を連結するが、共に左右の頭背乗せ部７と７とを連結する場合もあり、何れも左右どちらかの背乗せ部から中央へ身体を廻し下向きになって使用し得、図５，６では、枕１の中の袋部１４から、図５では額乗せ部２’又は３’を左，右へ引出し、図６では中央一個の額乗せ部２６’を左又は右へ全部を引出して額乗せ部２６とし、一部を引出すと２’又は３’となり、それ等の引出す額乗せ部は、図１では２’と３’を左右へ引出し易く、図３，８では３７，４３の方が便利で、又は図７の４０のように別個独立の額乗せ部４０が使用し易い。図３，８では額乗せ部４３，３７の前方の左右に、背乗せ部１２６，１５及び６３，６４を図示してあるが、中央にも枕１を置いて睡眠、休養するには、図７の点線の枕１２０のように、独立する額乗せ部４０に置き換え又は左右の枕１を中央に置き換える。尚胸上乗せ部９を額乗せ部４０等の下に入れ、或いは胸上乗せ部９を枕１２０に代える場合もある。その事は図３，８にも行われ得る。尚図３で左方の背乗せ部１２６は矢印１５３へ移動し腹胸乗せ部１２９代用し得。
【００１６】胸上乗せ部９は胸上部と首下部を円弧傾斜面４９の上に乗せ、間隙部１９を隔てた額乗せ部２，３，２６，２’，３’，３７，４３，４０の上に乗る額の重さを軽くし、鼻頭８が床面に接して息苦しくなるのを防ぎ、又頭と首を横に廻す必要なく安楽にうつ伏せ寝し易くする。
【００１７】この胸上乗せ部９は縫いぐるみ状３４に成型できるが、図１０で、板状で稍軟質の合成ゴム７０の上に、圧縮空気入りチューブ７５を乗せておくと胸上部への重さを和らげ易く、その周囲に気泡つきシート７１を二重に巻いておくと更に弾力的に首の重さを支え易くなる。
【００１８】図５，６の額乗せ部２’，３’，２６は使用後袋部１４へ納める時に、折れ曲がらずにスムーズに入り得る程度の稍軟質の板状合成ゴム７０又は発泡スチロール７６，段ボール７７等の上に（図９）、数枚の気泡つきシート７１を貼布又は柔かいマットレス状２９（例えばウレタンホーム等）で上部を蔽うと、額にソフトな感触を与え得る。その他の額乗せ部３７，４３，２，３，４０は弾力ある縫いぐるみ状３４，硬質マットレス状７４等の合成樹脂、綿等でほぼ平板状に成型する。
【００１９】図１１は、図７の凹み部６２のある山型背乗せ部６１の縫いぐるみ部３４の内部で、底部の稍軟質合成ゴム７０の上に下面を接着して乗せた円柱状の軟質発泡合成ゴム７２を気泡つきシート７１数枚で包み巻いて乗せた部が、左右に弾力的に揺れ動きクッションのように作用する場合を示す。
【００２０】図１４，１５で、頭部３６が次第に高くなる（頭高部９９の上）体上部傾斜乗せ部１２３の上に、腹胸乗せ部１４７（山型面１２７の下部が低く傾斜している）を用いた上に仰向けに寝る身体上部は、かなり傾斜する面になり、胸を開いて左右の腕を垂れると、肺呼吸し易く、血行がよくなり易いと共に、胴上方部の体重は斜面の下部へ加重され、両肩と背柱上部から首すじ下部への加圧が減り、その部の傾斜面への圧迫接触感が軽く浮かんだ感じとなって、肩の力が抜け、特に心不全又は心臓の疲れている病人の、身体下部から心臓へ戻る血流量よりも、肩部付近の疲れた血液が心臓へ戻る血流量が多く環流され、肩部の疲労（精神的疲労、ストレス等による心労）がとれ、肩痛、肩こり等が恢復し易くなり、腹胸乗せ部１４７又は図７等の腹胸乗せ部１２９の左右の傾斜面又は上面へ背中６８、側背６９を乗せ、或いはうつ伏せ時腹面１４４を乗せ（図１７，図４等）るリハビリ運動と相俊って病気回復への作用をなし得る。
【００２１】図１，３，７，８の各背乗せ部は、痛み等の症状に応じて各一部又は二部分、上部と下部等に分離し、取除し、位置をずらし、上部と下部で方向を変え、又一部だけに傾斜調整部５６，５７を用いる事もできる。
【００２２】体上部傾斜乗せ部１２３，水平クッション部を有する１４８の内部に配列する、気泡つきシート７１，圧縮空気部７５，厚板紙円筒７３（内部にばね鋼等の円管１４０を内包して剛性を増す場合もある）の弾力に応じて、身体各部特に上体各部の睡眠、休養姿勢を変化させる事がリハビリ訓練となる。
【００２３】胸上乗せ部９又は胸上乗せ部９’を取付けた腹胸乗せ部１２９，１４７の上面の低い山型面１２７は、夫々胸上乗せ部９，９’から下部へ次第に低くなる上面前傾面１２８として、胴下部の敷布７９部分へ移行させると、うつ伏せ寝中ほぼ無理なく熟睡し得るが、圧縮空気注入部７５のバルブ１３６により胸と腹部への当たりを調節し、枕１の高さを低くする等により睡眠姿勢を楽にする。又背乗せ部兼用腹胸乗せ部１４７の左右側面から下部にかけて横幅が広いのでうつ伏せ寝時下腹部の胃腸等の内蔵部分の冷えを防ぎ得る。尚上面の低い背乗せ部１２６はうつ伏せ寝用の腹胸乗せ部１２９に代用する他背乗せ部としても図１５，１６の斜面部分では、腰や背中の体重は足の方に加重され、背中６８，側背６９を軽く乗せて楽な姿勢となり、頂上部の高い他の背乗せ部より使い易い。
【００２４】図１４で左方の背乗せ部１２６の肩部６を上方の枕１５１の外側下面に連結し一体に動く枕部つき背乗せ部１５２とし、尚夫々の外側が高くなるように成型すると、肩から首すじと頭部をよせかけ、乗せかけて楽な姿勢となり易い（その時中央の腹胸乗せ部１４７は稍右側へよせておく）
【００２５】図１４の右側に用いる上面の低い山型の背乗せ部１２６の頭部７は肩部６から分離して、尚その高さを増して横へ約９０°廻転させると、背乗せ部兼用の枕１５０となり、他図の斜面、平面に移動しても背乗せ部となる。
【実施例】
【００２６】図１は図３の背乗せ部１５（図２の断面図には圧縮空気入りチューブ等７５を芯として入れる場合を示す）の左斜面２３（背中６８を乗せると内側斜面）の上に稍横向きに寝る上面図で、図４は額乗せ部２の上にうつ伏せ寝する側面図で、共に額乗せ部が示される。
【００２７】図２の断面図で、ほぼ三角柱状の背乗せ部１５の内角は、左側斜面２３と底面２５との内角１７（頂点５３）を３０度強、右側斜面２４の下部内角１６の角度６０度弱、頂点３３（内側、外側斜面の延長交点）の角度約９０°に記入してあるが、傾斜調整部５６を取付けた時の下部内角５９は約５０°弱となり、右側点線で示す腹部２０’は右側傾斜面２４よりも緩やかな傾斜面としてもたれかかり、よせかけて休息、睡眠し得る。
【００２８】図３の三角柱状背乗せ部１５では、マットレス２９を折畳んだ（コーナー内面に小さい切取部７８を設けて折曲げる）中の縫いぐるみ３４の中に、軟質発泡合成ゴム７２の小円柱と、それ又は発泡スチロール７６を気泡つきシート７１で巻き包んだ大きい円筒柱（７１）とを、共に芯３２として弾力を増す場合を示すが、図２では内部に圧縮空気入りチューブ７５を入れて弾力を増す場合を示す。
【００２９】図７で、凹み部のある山型背乗せ部６１は頂上部が高いので、頭背乗せ部７を肩背乗せ部６から分離し、内側斜面２３の緩やかな傾斜の頭背乗せ部７’としてその上に枕１を乗せる。山型背乗せ部６０の頭背乗せ部７”では、その外側と上方へ横幅、高さを広めた上に枕１を乗せると斜下横方向等を見易くなるが肩こり、首こりを予防するには、その部だけを分離して移動容易に使用する。
【００３０】図５で、枕１内に破線で示す袋部１４内に、点線で示す、左半分の額乗せ部２”は、左矢印１２方向へ引出し、右半分の額乗せ部３”は右矢印１３方向へ引出し、夫々左と右の額乗せ部２’，３’となる。
【００３１】図６で、破線の袋部１４内に点線で示す額乗せ部２６’は、引出紐２７で左，右の矢印１２，１３方向へ引出して、右又は左の額乗せ部２６或いは２’，３’となる。
【００３２】図１２の背乗せ部１１５，図１３の背乗せ部８３の内部には芯３２としての厚板紙円筒７３を気泡つきシート７１で包み入れる場合を示す。
【００３３】図１４，１５で、体上部傾斜乗せ部１２３の前下に傾斜する部の上に胸上乗せ部９’を腹胸乗せ部１４７に取付ける場合を示し、図１６では、水平クッション部１４８の上に腹胸乗せ部１２９と胸上乗せ部９を別々に乗せる場合を表し、夫々の内部に配列する気泡つきシート７１，圧縮空気部７５（バルブ１３６つき）、厚板紙円筒７３（内部にばね鋼、アルミばね鋼等１４０）の上面には軟質マットレス２９，下面と後垂直面を硬質マットレス７４を用い、後部垂直部の上下間隙部等に三角柱状のコーナー柱１４５（厚板紙、合成ゴム等）を埋める。
【００３４】図４に示す前腕１１は、図１４，１５，１６で、胸上乗せ部９，９’の上後方の間隙部１９に斜横から入る場合もある。
【００３５】図１７は図１４の腹胸乗せ部１４７のＧ−Ｇ線断面上に、胴の腹面１４４を左、右、上面から乗せてうつ伏せ寝する態様を示す図で、低い山型面１２６の左方からは浅い角度で、右方からはそれより深い角度で、上面からはほぼ水平に腹面１４４を乗せる態様を夫々点線、一点鎖線、二点鎖線で示す。
【００３６】図７の腹胸乗せ部兼用背乗せ部１２９の腹面１４４をうつ伏せ寝する態様は図１７に準ずる。
【００３７】背乗せ部兼用腹胸乗せ部１２９，１４７の左右斜面を背乗せ部として背中６８、側背６９をよせかける態様は図２に準ずる。（図１７の６８）
【００３８】各背乗せ部の上面を低い山型にした図３左の背乗せ部１２６は、上面からの左右傾斜面（２３，２４）をほぼ同傾斜面としてあるが、図１４左の背乗せ部１２６では内側斜面２３を外側斜面２４よりも緩やな傾斜とし、特に上面前側面１２８上でうつ伏せ寝時の左右腹側面をのせ、よりかかり易くし（右側の背乗せ部１２６も同じ）、且左側の背乗せ部１２６の外側の上下幅を内側よりも長くして、その外側面を内側面と交換（上下逆になる）した時に、仰向け時内側からよりかかり横向きの姿勢を楽にし得る。
【００３９】図１４の枕兼用背乗せ部１５０は、前下面が緩やかな傾斜面２３，後面が急な斜面２４で、他の斜面、平面へ移動して背乗せ部とし利用中もたれかかりよせかかる場合のすべり止め用の延長部４４を下面に折畳んである。
【００４０】内部に芯３２となる円形部分を有する図３，図１１，図１２，図１３の各背乗せ部の上面を低い山型面とする背乗せ部１２６とする場合は内部の円形部分を小さい円形部とし、その外側の気泡つきシート７１等は小円形部の上下面に薄く、左右に折畳部を多くし、尚小円形部内部に図１５，１６の厚板紙円筒内部のばね鋼部１４０を設けてもよい。
【発明の効果】
【００４１】腰部、背中、肩部等の労作運動による疲労、痛み等の重なった人、精神的心労やストレス等による主に心臓、肺、胃腸、肝臓等又はその裏側の背骨付近の痛み、疲れの他、腰骨、背骨等の内部組織の異常、病変による骨部の剛直、こわばり、曲げ不能、運動不能等の重症の病人、老人等が、上向き、横向き、斜め横向き等の腰、背中、側背、肩部、頭部をよせかけ、乗せかけ、もたれかかって睡眠、休息し、又はうつ伏せになって腰、背骨、肩部等の痛みを避けながら睡眠、休養し得るように各種形状の背乗せ部、腹胸乗せ部、胸上乗せ部、額乗せ部等を利用し、或いは主に腹部から肩部、頭部が高くなるように傾斜する体上部傾斜乗せ部又はその傾斜部が少し高い位置でほぼ水平にクッション部になる等の各種寝具により、身体上部が最も楽な姿勢でリハビリ運動も兼ね睡眠休養し得る。
【図面の簡単な説明】
【図１】上体下面に一個の背乗せ部１５を用いる場合の上面図。
【図２】図１のＡ−Ａ線断面図（背乗せ部を稍拡大して示す）。
傾斜調整部５６を用いる場合を点線で示す。
【図３】左右の背乗せ部の中央に額乗せ部を用いる場合の一例斜視図。
【図４】額乗せ部を用いてうつ伏せ寝する側面図に腹胸乗せ部も示す。
【図５】図４のＥ−Ｅ線断面図
【図６】図４のＥ−Ｅ線断面図（他例）
【図７】左右背乗せ部の中央に額乗せ部と腹胸乗せ部を置く斜視図。
【図８】背乗せ部６３，６４の頭背乗せ部７の側面図。
【図９】図５のＢ−Ｂ線、図６のＣ−Ｃ線の断面拡大図。
【図１０】図３のＤ−Ｄ線（胸上乗せ部９）の断面拡大図。
【図１１】図７の背乗せ部６１の腰部５の端面一例拡大図。
【図１２】背乗せ部１１５の端面図。
【図１３】背乗せ部８３の端面図
【図１４】体上部傾斜乗せ部１２３上面に背乗せ部兼用腹胸乗せ部１４７と背乗せ部１２６，枕部つき背乗せ部１５２等を乗せる使用一例の斜視図
【図１５】図１４のＦ−Ｆ線断面図。
【図１６】水平クッション部１４８上面に背乗せ部兼用腹胸乗せ部１２９等を用いる場合の図１４のＦ−Ｆ線に相当する部の断面図。
【図１７】図１４のＧ−Ｇ線断面図上に、胴の腹面１４４を、左右側面と上面から乗せる態様を示す（１２９に６８を乗せる兼用時を（  ）内記入）
【符号の説明】
１・・・・枕
２，３，２６・・・額乗せ部
４，５，６，７・・・各背乗せ部の腹部、腰部、肩部、頭部。
８・・・・・・鼻頭
９，（９’）・・・・胸上乗せ部。（図１５で１２９に取付ける場合を９’）
１０，１１・・・上腕、前腕
１２，１３・・・額乗せ部の引出方向（図５，６）
１４・・・・・（額乗せ部の）袋部
１５・・・・・（三角柱状の）背乗せ部
１６・・・・・（各背乗せ部の）外側の、底面に対する内角
１７・・・・・（各背乗せ部の）内側の、底面に対する内角
１９・・・・・（９と各額乗せ部との）間隙部
２０，２１，２２，３６・・・腹部、腰部、肩部、頭部（身体の）
２３，２４・・・・内側斜面、外側斜面（内側円弧面、外側円弧面）
２５，２５’・・・・底面（図１２で右底面２５）、図１２で左底面２５’
２６・・・・（枕１から全部分を引出した）額乗せ部
２７・・・・（額乗せ部の）引出紐
２８・・・・額
２９・・・軟質マットレス状部（又は柔かさの同程度の各種合成樹脂等）
３２・・・・（外面の柔かい各種寝具内部の）芯
３３・・・・（直線状部のある２３，２４の上方への）延長頂点
３４・・・・縫いぐるみ状部
３５・・・・（６０の５の）引出方向
３６・・・・頭部
３７，４３・・・（１と１，７とを夫々連結する）額乗せ部
３９・・・・（額乗せ部側面の）凹み部（図１）
４０・・・・（他部へ連結しない）独立する額乗せ部
４４・・・・（底面の）延長部
４６・・・・（６０の５の）引出紐
４９・・・・（９の上面の）円弧傾斜面
５３・・・（２３の２５延長部との）交点
５６，５７・・・傾斜調整部
５８・・・・（５６，５７の）袋部
５９・・・・（５６を用いた時の）内角
６０，６１・・・山型の背乗せ部、（凹み部６２のある）山型の背乗せ部
６３，６４・・・（２９の丸め込み、折畳み状の）背乗せ部
６８，６９・・・背中、側背部
７０・・・・（板状の稍軟質の）合成ゴム部（７２より硬い）
７１・・・・・気泡つきシート又はその外周丸めこみ部（又は巻き包み部）
７２・・・・（７０より軟質の）発泡合成ゴム
７３・・・・厚板紙円筒
７４・・・・硬質マットレス部（又はその成分の部、敷きマット等）
７５・・・・圧縮空気注入部（チューブ等）
７６・・・・発泡スチロール
７７・・・・段ボール
７８・・・・（２９を丸め込み、折畳み内側の）切取部、切込線
７９・・・・敷布
８３・・・・（左方一部９０を分離する）背乗せ部
９２・・・・（８３の）傾斜調整部
９５・・・・（９０，９２を覆う背乗せ部８３の）袋部
９９・・・・頭高部
１１５・・・・・背乗せ部（図１２）
１２０・・・・（４０に置換える）枕（図７の点線）
１２３・・・・体上部傾斜乗せ部
１２６・・・・（上面を低い山型にした）背乗せ部
１２７・・・・（１２６の）低い山型面（１４７，１２９の上面も）
１２８・・・・上面前傾面（１４７，１２９の）
１２９・・・・腹胸乗せ部兼用背乗せ部
１３６・・・・バルブ
１４０・・・・ばね鋼円管（又はアルミ鋼管等）
１４４・・・・腹面
１４５・・・・三角柱（１２３，１４８の間隙部）
１４７・・・・腹胸乗せ部（背乗せ部兼用）
１４８・・・・水平クッション部
１５０・・・・背乗せ部兼用枕（図１４の右）
１５１・・・・（１５２の）枕部（図１４の左）
１５２・・・・枕部つき背乗せ部（図１４の左）
１５３・・・・（図３の）矢印（１２６の移動方向）
【図１】
2004160144.tif 000006
【図２】
2004160144.tif 000007
【図３】
2004160144.tif 000008
【図４】
2004160144.tif 000009
【図５】
2004160144.tif 000010
【図６】
2004160144.tif 000011
【図７】
2004160144.tif 000012
【図８】
2004160144.tif 000013
【図９】
2004160144.tif 000014
【図１０】
2004160144.tif 000015
【図１１】
2004160144.tif 000016
【図１２】
2004160144.tif 000017
【図１３】
2004160144.tif 000018
【図１４】
2004160144.tif 000019
【図１５】
2004160144.tif 000020
【図１６】
2004160144.tif 000021
【図１７】
2004160144.tif 000022
【手続補正書】
【提出日】平成14年12月26日(2002.12.26)
【手続補正１】
【補正対象書類名】明細書
【補正対象項目名】００３５
【補正方法】変更
【補正の内容】
【００３５】図１７は図１４の腹胸乗せ部１４７のＧ−Ｇ線断面上に、胴の腹面１４４を左、右、上面から乗せてうつ伏せ寝する態様を示す図で、低い山型面１２７の左方からは浅い角度で、右方からはそれより低い角度で、上面からはほぼ水平に腹面１４４を乗せる態様を夫々点線、一点鎖線、二点鎖線で示す。


【手続補正３】
【補正対象書類名】図面
【補正対象項目名】図１７
【補正方法】変更
【補正の内容】
【図１７】
2004160144.tif 000023
【手続補正書】
【提出日】平成15年1月24日(2003.1.24)
【手続補正１】
【補正対象書類名】明細書
【補正対象項目名】０００６
【補正方法】変更
【補正の内容】
【０００６】腰痛症，背柱症，肩痛病人は仰向け睡眠で痛み，こわばりを感じて横向きになり、更に各種角度の斜め横向き又はうつ伏せをする際、請求項１記載の各背乗せ部，請求項２記載のうつ伏せ用寝具を用いると、腰や背骨に負担を掛けずに安眠し易くなり、肩痛では特に、請求項３記載の、腰部と肩部から上部を傾斜する体上部傾斜乗せ部１２３を用いると肩痛を和らげ易く、各病人が各姿勢を替えながら睡眠姿勢をとる事がリハビリ運動になる。又そのための各種寝具は、ソフトで弾力あり、安楽に休息，睡眠，姿勢変換すべく、軟質，硬質マットレス状部２９，７４、縫いぐるみ３４の中に、それより硬くて芯３２となる程度の縫いぐるみ３４，より硬質のマットレス状部７４，板状となる程度の合成ゴム７０，気泡つきシート７１
【市販包装用のポリエチレン製ラップメイト（プチメイト）等】，圧縮空気入りチューブ等７５，厚板紙円筒７３を用い、発泡スチロール７６，段ボール７７を用いる場合もある。（図９）